(57)【要約】【課題】鉛直ドレーン材と水平ドレーン材の重合部を圧潰させることなく簡単に接続できて、通水性を確実に確保できるドレーン材の接合構造を提供する。【解決手段】鉛直ドレーン材２０の上端２０ａを水平ドレーン材３０に重ね合わせて、両ドレーン材の重合部Ａを一対の接続金具４０，５０を介して通水可能に接続するドレーン材の接合構造１０において、一対の接続金具の一方の接続金具４０は、先端側に爪部４３を形成し、基部側に間隔規制部を形成している少なくとも一対の係止片を有し、他方の接続金具５０は、一対の係止片を差し込む係合孔５１を一対有し、係止片を係合孔に差し込んで折り曲げることで、鉛直ドレーン材２０の上端２０ａと水平ドレーン材３０との重合部Ａを通水可能に接続する際に、係止片の間隔規制部が他方の接続金具５０に当接して差し込みが規制されることで、一対の接続金具４０，５０間に所定の隙間が形成される。【選択図】図１
2020094333.tif 000002
【特許請求の範囲】
【請求項１】
軟弱地盤又は浚渫土中に打設された鉛直ドレーン材の上端を前記軟弱地盤又は浚渫土の地表側に配置された水平ドレーン材の所定位置に重ね合わせて、前記両ドレーン材の重合部を一対の接続金具を介して通水可能に接続するドレーン材の接合構造において、
前記一対の接続金具の一方の接続金具は、先端側に爪部を形成すると共に、基部側に間隔規制部を形成している少なくとも一対の係止片を有した金属板からなり、
前記一対の接続金具の他方の接続金具は、前記一対の係止片を差し込む係合孔を一対有した金属板からなり、
前記一方の接続金具の一対の係止片を前記他方の接続金具の一対の係合孔に差し込んで折り曲げることで、前記鉛直ドレーン材の上端と前記水平ドレーン材の所定位置の重合部を通水可能に接続する際に、
前記一方の接続金具の一対の係止片の各間隔規制部が前記他方の接続金具に当接して差し込みが規制されることで、前記一対の接続金具間に所定の隙間が形成されることを特徴とするドレーン材の接合構造。
【請求項２】
請求項１記載のドレーン材の接合構造であって、
前記一対の係止片は、相対向するように切り起こし形成され、
前記一対の係止片の各爪部は、先端頂部が三角形の幅狭矩形状に形成され、
前記一対の係止片の各間隔規制部は、両側上部に前記各爪部側に向かって狭まるように傾斜したテーパ部を有する幅広矩形状に形成され、
前記一対の係止片が前記一対の係合孔に差し込まれた際に、前記各間隔規制部のテーパ部が前記各係合孔の縁部に突き当たって差し込みが規制されることで、前記一対の接続金具間に少なくとも前記水平ドレーン材の厚み分の隙間が形成されることを特徴とするドレーン材の接合構造。
【請求項３】
軟弱地盤又は浚渫土中に打設された鉛直ドレーン材の上端を前記軟弱地盤又は浚渫土の地表側に配置された水平ドレーン材の所定位置に重ね合わせて、前記両ドレーン材の重合部を通水可能に接続する接続金具において、
一対の接続金具を有し、その一方の接続金具は、先端側に爪部を形成すると共に、基部側に間隔規制部を形成している少なくとも一対の係止片を有した金属板からなり、
他方の接続金具は、前記一対の係止片を差し込む係合孔を一対有した金属板からなり、
前記一方の接続金具の一対の係止片を前記他方の接続金具の一対の係合孔に差し込んで折り曲げることで、前記鉛直ドレーン材の上端と前記水平ドレーン材の所定位置の重合部を通水可能に接続する際に、
前記一方の接続金具の一対の係止片の各間隔規制部が前記他方の接続金具に当接して差し込みが規制されることで、前記一対の接続金具間に所定の隙間が形成されることを特徴とする接続金具。
【請求項４】
請求項３記載の接続金具であって、
前記一対の係止片は、相対向するように切り起こし形成され、
前記一対の係止片の各爪部は、先端頂部が三角形の幅狭矩形状に形成され、
前記一対の係止片の各間隔規制部は、両側上部に前記各爪部側に向かって狭まるように傾斜したテーパ部を有する幅広矩形状に形成され、
前記一対の係止片が前記一対の係合孔に差し込まれた際に、前記各間隔規制部のテーパ部が前記各係合孔の縁部に突き当たって差し込みが規制されることで、前記一対の接続金具間に少なくとも前記水平ドレーン材の厚み分の隙間が形成されることを特徴とする接続金具。
【請求項５】
請求項３または４記載の接続金具であって、
前記一方の接続金具を、前記一対の係止片を下にして接続装置の上板の収容凹溝部に着磁によりセットし、
前記他方の接続金具を、前記接続装置の下板の収容凹溝部にセットし、
前記他方の接続金具上に前記鉛直ドレーン材の上端を重ねるようにセットし、該セットされた鉛直ドレーン材の上端に前記水平ドレーン材の対応部を重ねるようにセットし、
前記上板と前記下板の少なくとも一方を他方の側に平行移動させて、前記一方の接続金具の一対の係止片を前記他方の接続金具の一対の係合孔に差し込んで折り曲げることで前記鉛直ドレーン材の上端と前記水平ドレーン材との重合部を接続するようにしたことを特徴とする接続金具。
【発明の詳細な説明】
【技術分野】
【０００１】
本発明は、例えば、圧密促進工法等において、鉛直ドレーン材と水平ドレーン材とを接続するドレーン材の接合構造及び接続金具に関する。
【背景技術】
【０００２】
地盤改良のうち、軟弱地盤の土中間隙水を除去する工法として、軟弱地盤内に打設された鉛直ドレーン材の上端（地表側突出端）を、地表側に配置された帯状の水平ドレーン材の所定位置に接続した後、水平ドレーン材の一端を真空吸引ポンプに接続し、該ポンプの稼働により、軟弱地盤中の間隙水を吸引すると共に、負圧を作用させることで地盤の圧密を促進する工法がある。この圧密促進工法においては、水平ドレーン材がサンドマットの代替材となり、また、浚渫土処分場等では、サンドマットが不要な分だけ受入土量を増大できる利点がある。ところで、この工法において、鉛直ドレーン材と水平ドレーン材との接続構造としては、例えば、特許文献１に開示されたものがある。
【０００３】
このドレーン材の接合構造は、図１０に示すように、鉛直ドレーン材１の上端部１ａを適宜長さ折り曲げて、水平ドレーン材２の一側面２ａの所定位置に重ね合わせ、この重合部の表裏両側に一対の止め金具５，６を当てがい、一方の止め金具に設けた図示しない切り起こし片を重合部越しに他方の止め金具に設けた図示しない孔に入れて曲げ止めすることで、両ドレーン材１，２同士を接続している。
【先行技術文献】
【特許文献】
【０００４】
【特許文献１】特開２００２−２７５８８０号公報
【特許文献２】特開２００６−１１２０３７号公報
【発明の概要】
【発明が解決しようとする課題】
【０００５】
しかしながら、前記従来のドレーン材の接合構造では、一対の止め金具５，６の締め付け度合いによっては、両ドレーン材１，２の重合部が一対の止め金具５，６によって圧潰されて、その通水性に支障をきたすおそれがある。
【０００６】
そこで、本発明は、前記した課題を解決すべくなされたものであり、鉛直ドレーン材と水平ドレーン材の重合部を圧潰させることなく簡単に接続することができて、通水性を確実に確保することができるドレーン材の接合構造及び接続金具を提供することを目的とする。
【課題を解決するための手段】
【０００７】
本発明は、軟弱地盤又は浚渫土中に打設された鉛直ドレーン材の上端を前記軟弱地盤又は浚渫土の地表側に配置された水平ドレーン材の所定位置に重ね合わせて、前記両ドレーン材の重合部を一対の接続金具を介して通水可能に接続するドレーン材の接合構造において、前記一対の接続金具の一方の接続金具は、先端側に爪部を形成すると共に、基部側に間隔規制部を形成している少なくとも一対の係止片を有した金属板からなり、前記一対の接続金具の他方の接続金具は、前記一対の係止片を差し込む係合孔を一対有した金属板からなり、前記一方の接続金具の一対の係止片を前記他方の接続金具の一対の係合孔に差し込んで折り曲げることで、前記鉛直ドレーン材の上端と前記水平ドレーン材の所定位置の重合部を通水可能に接続する際に、前記一方の接続金具の一対の係止片の各間隔規制部が前記他方の接続金具に当接して差し込みが規制されることで、前記一対の接続金具間に所定の隙間が形成されることを特徴とする。
【発明の効果】
【０００８】
本発明によれば、一方の接続金具の少なくとも一対の係止片の各間隔規制部が他方の接続金具に当接して差し込みが規制されることで、一対の接続金具間に所定の隙間が常に形成されることで、鉛直ドレーン材と水平ドレーン材との重合部を圧潰させることなく簡単に接続することができて、通水性を確実に確保することができる。
【図面の簡単な説明】
【０００９】
【図１】本発明の一実施形態のドレーン材の接合構造の接続状態を示す斜視図である。
【図２】（ａ）は上記ドレーン材の接合構造に用いられる一方の接続金具の平面図、（ｂ）は同接続金具の正面図、（ｃ）は同接続金具の底面図、（ｄ）は同図（ｂ）中Ｙ−Ｙ線に沿う断面図である。
【図３】（ａ）は上記ドレーン材の接合構造に用いられる他方の接続金具の平面図、（ｂ）は同図（ａ）中Ｘ−Ｘ線に沿う断面図、（ｃ）は同図（ａ）中Ｙ−Ｙ線に沿う断面図である。
【図４】上記ドレーン材の接合構造の接続前の状態を示す斜視図である。
【図５】上記ドレーン材の接合構造の接続途中の状態を一部断面で示す側面図である。
【図６】上記ドレーン材の接合構造の接続途中の状態を示す正面図である。
【図７】上記ドレーン材の接合構造の接続状態を示す正面図である。
【図８】上記ドレーン材の接合構造に用いられる鉛直ドレーン材の断面図である。
【図９】上記ドレーン材の接合構造に用いられる水平ドレーン材の断面図である。
【図１０】従来の鉛直ドレーン材と水平ドレーン材の接続状態を示す断面図である。
【発明を実施するための形態】
【００１０】
以下、本発明の一実施形態を図面に基づいて説明する。
【００１１】
図１は本発明の一実施形態のドレーン材の接合構造の接続状態を示す斜視図、図２（ａ）は同ドレーン材の接合構造に用いられる一方の接続金具の平面図、図２（ｂ）は同接続金具の正面図、図２（ｃ）は同接続金具の底面図、図２（ｄ）は図２（ｂ）中Ｙ−Ｙ線に沿う断面図、図３（ａ）はドレーン材の接合構造に用いられる他方の接続金具の平面図、図３（ｂ）は図３（ａ）中Ｘ−Ｘ線に沿う断面図、図３（ｃ）は図３（ａ）中Ｙ−Ｙ線に沿う断面図、図４はドレーン材の接合構造の接続前の状態を示す斜視図、図５はドレーン材の接合構造の接続途中の状態を一部断面で示す側面図、図６はドレーン材の接合構造の接続途中の状態を示す正面図、図７はドレーン材の接合構造の接続状態を示す正面図、図８はドレーン材の接合構造に用いられる鉛直ドレーン材の断面図、図９はドレーン材の接合構造に用いられる水平ドレーン材の断面図である。
【００１２】
図１、図７に示すように、ドレーン材の接合構造１０は、泥上や水深の浅い軟弱地盤１１中に所定間隔毎に一列に複数打設された鉛直ドレーン材２０の上端２０ａを軟弱地盤１１の地表側に配置された水平ドレーン材３０の対応部（所定位置）に重ね合わせて、これら両ドレーン材２０，３０の重合部Ａを一対の接続金具４０，５０を介して通水可能に接続する構造であり、図４、図６に示す接続装置としての圧着機６０を用いて接続される。
【００１３】
図８に示すように、鉛直ドレーン材２０は、合成樹脂製のプラスチックボードであり、通水路を形成する凹凸を有する帯状の芯体２１と、この芯体２１の両側面に貼付された通水性の一対のフィルタ材２２，２２と、を備えている。
【００１４】
図９に示すように、水平ドレーン材３０は、合成樹脂製のプラスチックボードであり、通水路を形成する凹凸を有する帯状の芯体３１と、この芯体３１の両側面に貼付された通水性の一対のフィルタ材３２，３２と、を備えている。
【００１５】
図２（ａ）〜（ｄ）に示すように、一対の接続金具４０，５０のうちの一方の接続金具４０は、先端側に爪部４３を形成すると共に、基部側に間隔規制部４４を形成している一対の係止片４２，４２を有した矩形の金属板からなる。また、図３（ａ）〜（ｃ）に示すように、他方の接続金具５０は、一対の係止片４２，４２が差し込まれる係合孔５１，５１を一対有した矩形の金属板からなる。
【００１６】
図２（ａ）〜（ｄ）に示すように、一方の接続金具４０の中央には、長手方向Ｌに延びる矩形の切欠き孔４１が形成されており、この切欠き孔４１の相対向する両側に一対の係止片４２，４２が切り起こし形成されている。この各係止片４２は、先端頂部４３ａが三角形の幅狭矩形状に形成された爪部４３と、両側上部において爪部４３側に向かって狭まるように傾斜した一対のテーパ部４４ａ，４４ａを有する幅広矩形状に形成された間隔規制部４４と、を備えている。
【００１７】
図３（ａ）〜（ｃ）に示すように、他方の接続金具５０は、一方の接続金具４０と同厚及び同サイズに形成されており、一方の接続金具４０の一対の係止片４２，４２に対向する位置に一対の係合孔５１，５１が形成されている。この各係合孔５１は、長手方向Ｌと直交する方向Ｒに延びるように矩形に形成されており、その幅Ｗは、係止片４２の爪部４３の幅Ｗａよりも大きく、かつ、係止片４２の間隔規制部４４の幅Ｗｂより小さくなっている（Ｗａ＜Ｗ＜Ｗｂ）。これにより、一方の接続金具４０の一対の係止片４２，４２を他方の接続金具５０の一対の係合孔５１，５１に差し込んで折り曲げることで、鉛直ドレーン材２０の上端２０ａと水平ドレーン材３０の対応部（所定位置）との重合部Ａを通水可能に接続する際に、即ち、一方の接続金具４０の一対の係止片４２，４２が他方の接続金具５０の一対の係合孔５１，５１に差し込まれた際に、図５に示すように、各係止片４２の間隔規制部４４のテーパ部４４ａが各係合孔５１の縁部５１ａに突き当たって差し込みが規制されることで、一対の接続金具４０，５０間に所定の隙間Ｈが形成されるようになっている。詳述すると、一対の接続金具４０，５０間の所定の隙間Ｈは、鉛直ドレーン材２０と水平ドレーン材３０の合計の厚みＱよりも若干薄く（狭く）なるように設定されており（Ｈ＜Ｑ）、少なくとも水平ドレーン材３０の厚み分以上の隙間が形成されるようになっている。
【００１８】
図４、図６に示すように、鉛直ドレーン材２０の上端２０ａと水平ドレーン材３０の対応部（重合部Ａ）を接続する圧着機（接続装置）６０は、一方の接続金具４０を保持する収容凹溝部６１ａを有した可動板としての上板６１と、他方の接続金具５０を保持する収容凹溝部６３ａを有した固定板としての下板６３と、上板６１を昇降動させる駆動手段としての油圧シリンダ６４と、これらが取り付けられている昇降可能な支持部材６５と、を備えている。
【００１９】
上板６１の収容凹溝部６１ａは、収容されて保持される一方の接続金具４０の板厚と同じ深さの凹みに形成されている。そして、この上板６１の収容凹溝部６１ａ内には、一方の接続金具４０の一対の係止片４２，４２を下にしてセットされるようになっている。また、収容凹溝部６１ａ内には、一方の接続金具４０をセットした時に、一方の接続金具４０が落下しないように一対の磁石６２，６２が取り付けられている。
【００２０】
また、下板６３の収容凹溝部６３ａは、収容されて保持される他方の接続金具５０の板厚と同じ深さの凹みに形成されている。また、下板６３の収容凹溝部６３ａには、セットされた他方の接続金具５０の一対の係合孔５１，５１に対向する位置に他方の接続金具５０の一対の係合孔５１，５１に貫通した一方の接続金具４０の一対の係止片４２，４２の各爪部４３を互いに対向する方向に折り曲げることができるように加締め用凹部６３ｂが設けられている。
【００２１】
図６に示すように、支持部材６５は、起立部６５ａと上部６５ｂと下部６５ｃとで、側面コ字状の形成されており、上部６５ｂの中央に、油圧シリンダ６４が取り付けられている。そして、油圧シリンダ６４のシリンダロッド６４ａの先端に上板６１が取り付けられている。また、支持部材６５の下部６５ｃには、下板６３が固定されている。
【００２２】
尚、図１に示すように、水平ドレーン材３０の一端３０ａ側は、Ｕ字状に折り曲げられ、かつ粘着テープＴで覆われていて、水平ドレーン材３０の一端３０ａ側が泥水等に汚れたり、泥水や海水等の水が内部に浸入しないようにしてある。
【００２３】
以上実施形態のドレーン材の接合構造１０によれば、図１に示すように、軟弱地盤１１中に打設されてその地表側に露出した鉛直ドレーン材２０の上端２０ａと水平ドレーン材３０の対応部とを接続する場合に、まず、圧着機６０の上板６１の収容凹溝部６１ａに磁石６２を介して一方の接続金具４０を一対の係止片４２，４２を下にして着磁させてセットし、次に、下板６３の収容凹溝部６３ａに他方の接続金具５０をセットする。
【００２４】
そして、他方の接続金具５０上に鉛直ドレーン材２０の上端２０ａの下面を重ねるようにセットし、このセットされた鉛直ドレーン材２０の上端２０ａの上面に水平ドレーン材３０の対応部の下面を重ねるようにセットする。
【００２５】
次に、図６に示すように、上板６１を下降させて、一方の接続金具４０の一対の係止片４２，４２を他方の接続金具５０の一対の係合孔５１，５１に差し込んで貫通させ、上板６１を更に下降させることで、一方の接続金具４０の一対の係止片４２，４２の各爪部４３を下板６３の一対の加締め用凹部６３ｂ．６３ａで互いに対向する方向に折り曲げることにより、図７に示すように、鉛直ドレーン材２０の上端２０ａと水平ドレーン材３０の対応部とを一対の接続金具４０，５０間で接続する。
【００２６】
このように、鉛直ドレーン材２０を下側にして該鉛直ドレーン材２０の上端２０ａと水平ドレーン材３０の対応部とを一対の接続金具４０，５０間で挟み込んで接続するので、鉛直ドレーン材２０と水平ドレーン材３０との重合部Ａが外れることがない。
【００２７】
また、一方の接続金具４０の一対の係止片４２，４２の各間隔規制部４４のテーパ部４４ａが他方の接続金具５０の各係合孔５１の縁部５１ａに当接して差し込みが規制されることで、一対の接続金具４０，５０間に少なくとも水平ドレーン材３０の厚み分以上の隙間Ｈが常に形成されるため、鉛直ドレーン材２０と水平ドレーン材３０との重合部Ａを締め付けすぎずに簡単に接続することができて、通水性を確実に確保することができる。
【００２８】
さらに、間隔規制部４４のテーパ部４４ａが係合孔５１の縁部５１ａに当接するため、例えば、何らかの要因により、鉛直ドレーン材２０と水平ドレーン材３０との合計の厚みにバラ付きが生じてもテーパ部４４ａで確実に吸収することができる。即ち、一対の接続金具４０，５０間の隙間Ｈを両ドレーン材２０，３０が圧潰・圧損しない間隔になるように常に形成することができる。これにより、鉛直ドレーン材２０と水平ドレーン材３０との重合部Ａの圧潰・圧損を確実に防止することができ、通水性を簡単かつ確実に確保することができる。
【００２９】
さらに、鉛直ドレーン材２０の上端２０ａと水平ドレーン材３０の対応部とを接続する際に、油圧で上板６１を下板６３に昇降動させる簡単な構造の圧着機６０を用いるので、両ドレーン材２０，３０を短時間で効率的に接続することができる。
【００３０】
尚、前記実施形態によれば、一方の接続金具に一対の係止片を形成したが、二対の係止片を形成しても良く、また、圧着機の下板側に鉛直ドレーン材をセットし、その上に水平ドレーン材をセットしたが、圧着機の下板側に水平ドレーン材をセットし、その上に鉛直ドレーン材をセットしても良い。
【００３１】
また、前記実施形態によれば、圧着機の上板を可動させ、下板を固定させたが、下板を可動させ、上板を固定させたり、上下板を可動させるようにしても良い。
【００３２】
さらに、前記実施形態によれば、泥上や水深の浅い軟弱地盤中に打設された鉛直ドレーン材の上端と軟弱地盤の地表側に配置された水平ドレーン材の接続について説明したが、浚渫土中に打設された鉛直ドレーン材の上端と浚渫土の地表側に配置された水平ドレーン材の接続に適用できることは勿論である。
【符号の説明】
【００３３】
１０  ドレーン材の接合構造
１１  軟弱地盤
２０  鉛直ドレーン材
２０ａ  上端
３０  水平ドレーン材
４０，５０  一対の接続金具
４０  一方の接続金具
４２，４２  一対の係止片
４３  爪部
４３ａ  先端頂部
４４  間隔規制部
４４ａ  テーパ部
５０  他方の接続金具
５１，５１  一対の係合孔
６０  圧着機（接続装置）
６１  上板（可動板）
６１ａ  収容凹溝部
６３  下板（固定板）
６３ａ  収容凹溝部
Ｈ  一対の接続金具間の隙間
【図１】
2020094333.tif 000003
【図２】
2020094333.tif 000004
【図３】
2020094333.tif 000005
【図４】
2020094333.tif 000006
【図５】
2020094333.tif 000007
【図６】
2020094333.tif 000008
【図７】
2020094333.tif 000009
【図８】
2020094333.tif 000010
【図９】
2020094333.tif 000011
【図１０】
2020094333.tif 000012